(57)【要約】【課題】画像データの伝送における画質の劣化を抑制する。【解決手段】光線を出射する光源と、前記光線を走査して投影面に照射する光走査部と、撮像した画像の画像データを第一のフォーマットの画像データとして出力する撮像装置と、前記撮像装置から取得した前記第一のフォーマットの画像データを第二のフォーマットの画像データに変換して出力するインターフェイス部と、を有するヘッドマウント部と、前記第二のフォーマットの画像データを伝送する伝送ケーブルと、前記伝送ケーブルを介して、前記第二のフォーマットの画像データを取得し、前記第二のフォーマットの画像データに基づき前記光源からの前記光線の出射制御を行う制御装置と、を有する。【選択図】図３
2018054944.tif 000002
【特許請求の範囲】
【請求項１】
光線を出射する光源と、
前記光線を走査して投影面に照射する光走査部と、
撮像した画像の画像データを第一のフォーマットの画像データとして出力する撮像装置と、
前記撮像装置から取得した前記第一のフォーマットの画像データを第二のフォーマットの画像データに変換して出力するインターフェイス部と、
を有するヘッドマウント部と、
前記第二のフォーマットの画像データを伝送する伝送ケーブルと、
前記伝送ケーブルを介して、前記第二のフォーマットの画像データを取得し、前記第二のフォーマットの画像データに基づき前記光源からの前記光線の出射制御を行う制御装置と、
を有する光走査型ヘッドマウントディスプレイ。
【請求項２】
前記第一のフォーマットは、ＭＩＰＩ規格に従ったフォーマット又はパラレル通信方式に従ったフォーマットであり、
前記第二のフォーマットは、ＨＤＭＩ規格に従ったフォーマットである、請求項１記載の光走査型ヘッドマウントディスプレイ。
【請求項３】
前記インターフェイス部は、
前記第一のフォーマットの画像データに対する画像処理を行う画像処理部を有し、
前記画像処理部は、
前記制御装置が、ズームインを指示する操作を受けたとき、
前記第一のフォーマットの画像データが示す画像において、ズームインの対象とされた領域以外の領域を黒色として、前記インターフェイス部へ出力する請求項１又は２記載の光走査型ヘッドマウントディスプレイ。
【請求項４】
前記インターフェイス部は、
前記伝送ケーブルを介して前記制御装置から所定の値の電圧の供給を受けて、前記撮像装置へ供給される複数の値の電圧を生成する電圧生成部を有する請求項１乃至３の何れか一項に記載の光走査型ヘッドマウントディスプレイ。
【請求項５】
前記光走査部は、前記光線を利用者の網膜に照射させる請求項１乃至４の何れか一項に記載の光走査型ヘッドマウントディスプレイ。
【請求項６】
光線を出射する光源と、
前記光線を走査して利用者の網膜に照射させる光走査部と、
撮像した画像の画像データを第一のフォーマットの画像データとして出力する撮像装置と、
前記撮像装置から取得した前記第一のフォーマットの画像データを第二のフォーマットの画像データに変換して出力するインターフェイス部と、
を有するヘッドマウント部と、
前記第二のフォーマットの画像データを伝送する伝送ケーブルと、
前記伝送ケーブルを介して、前記第二のフォーマットの画像データを取得し、前記第二のフォーマットの画像データに基づき前記光源からの前記光線の出射制御を行う制御装置と、
を有する網膜走査型ヘッドマウントディスプレイ。
【発明の詳細な説明】
【技術分野】
【０００１】
本発明は、光走査型ヘッドマウントディスプレイ及び網膜走査型ヘッドマウントディスプレイに関する。
【背景技術】
【０００２】
近年では、頭部に装着する頭部装着型の表示装置が知られている。この表示装置では、頭部に装着される画像表示部に外景撮像用のカメラを設け、利用者が向いている方向の外景をカメラにより撮像し、撮像したコンテンツを、コードを介して画像表示部から制御部に伝送する。
【０００３】
また、この表示装置では、制御部において、画像表示部の有する光学像表示部を制御する信号が生成される。画像表示部は、この信号に基づき光学像表示部を制御して、カメラにより撮像されたコンテンツの画像を表示させる。
【先行技術文献】
【特許文献】
【０００４】
【特許文献１】特開２０１６−７５７３５号公報
【発明の概要】
【発明が解決しようとする課題】
【０００５】
上述した従来の技術では、カメラにより撮像された画像の画像データは、コードを介して制御部に伝送されるが、この伝送による画質の劣化については考慮されていない。
【０００６】
開示の技術は、上述した事情に鑑みて成されたものであり、画像データの伝送における画質の劣化を抑制することが可能な光走査型ヘッドマウントディスプレイ及び網膜走査型ヘッドマウントディスプレイを提供することを目的としている。
【課題を解決するための手段】
【０００７】
開示の技術は、光線を出射する光源（１２５）と、
前記光線を走査して投影面に照射する光走査部（３０）と、
撮像した画像の画像データを第一のフォーマットの画像データとして出力する撮像装置（５１）と、
前記撮像装置（５１）から取得した前記第一のフォーマットの画像データを第二のフォーマットの画像データに変換して出力するインターフェイス部（５２）と、
を有するヘッドマウント部（ＨＭ）と、
前記第二のフォーマットの画像データを伝送する伝送ケーブル（２０）と、
前記伝送ケーブル（２０）を介して、前記第二のフォーマットの画像データを取得し、前記第二のフォーマットの画像データに基づき前記光源（１２５）からの前記光線の出射制御を行う制御装置（１０）と、
を有する光走査型ヘッドマウントディスプレイである。
【０００８】
なお、上記括弧内の参照符号は、理解を容易にするために付したものであり、一例にすぎず、図示の態様に限定されるものではない。
【発明の効果】
【０００９】
開示の技術によれば、画像データの伝送における画質の劣化を抑制できる。
【図面の簡単な説明】
【００１０】
【図１】網膜走査型ヘッドマウントディスプレイを説明する第一の図である。
【図２】網膜走査型ヘッドマウントディスプレイを説明する第二の図である。
【図３】カメラインターフェイス部の機能を説明する図である。
【図４】フォーマット変換部を説明する図である。
【図５】カメラインターフェイス部の処理を説明するフローチャートである。
【図６】画像処理部による画像処理を説明する第一の図である。
【図７】画像処理部による画像処理を説明する第二の図である。
【発明を実施するための形態】
【００１１】
本実施形態では、利用者の頭部に装着されるヘッドマウント部において、ヘッドマウント部に設けられた撮像装置が撮像した画像データを、制御装置へのケーブルによる伝送に適したフォーマットの画像データに変換するインターフェイス部を設ける。
【００１２】
以下に、図面を参照して本実施形態について説明する。図１は、網膜走査型ヘッドマウントディスプレイを説明する図である。
【００１３】
本実施形態の網膜走査型ヘッドマウントディスプレイ１は、マクスウェル視を利用した網膜走査型ヘッドマウントディスプレイである。マクスウェル視とは、画像データに基づく画像光（以下、画像用光線とも云う）を一旦瞳孔の中心で収束させてから網膜上に投影することで、利用者の水晶体の機能に影響されずに利用者に画像データが表す画像を視認させる方法である。
【００１４】
網膜走査型ヘッドマウントディスプレイ１の全体的な構成について説明する。図１に示すように、網膜走査型ヘッドマウントディスプレイ１は、制御装置１０と、伝送ケーブル２０と、ヘッドマウント部ＨＭを有する。
【００１５】
制御装置１０は、利用者の衣服のポケットなどに収納して携行可能な程度の大きさとされ、画像信号に応じた強度のレーザ光を画像光として出射する。制御装置１０の詳細は後述する。
【００１６】
伝送ケーブル２０は、制御装置１０から出射された画像光を光走査部３０まで伝送する。
【００１７】
ヘッドマウント部ＨＭは、光走査部３０と、眼鏡型フレーム４０と、撮像ユニット５０と、を含む。
【００１８】
光走査部３０は、伝送ケーブル２０によって伝送された画像光を走査して利用者の眼球（網膜）に照射することで、利用者の網膜上に画像光が示す画像を投影させる。
【００１９】
眼鏡型フレーム４０は、利用者の頭部に装着可能に構成されている。撮像ユニット５０は、カメラ等を有する。光走査部３０及び撮像ユニット５０は、眼鏡型フレーム４０に具備されている。
【００２０】
ここで、画像光とは、光走査部３０により利用者の網膜上に投影される画像の元になる情報に基づき生成される光である。画像の元になる情報は、文字、数字等の記号であっても良いし、画像であっても良い。
【００２１】
制御装置１０は、利用者が操作可能な筐体１１と、電子回路基板１２と、操作部１３と、を備える。操作部１３は、筐体１１の側面部に設けられる。操作部１３は、電源１３ａ、フェイズスイッチ部１３ｂ、及び画像の大きさを調整させる調整部１３ｃなどを有している。電子回路基板１２は、筐体１１内に収納されるものであり、制御装置１０の動作を実現させるための複数のＩＣチップ１４が搭載されている。
【００２２】
制御装置１０には、外部入力端子１５（図２参照）が設けられている。制御装置１０は、外部入力端子１５を介して図示しないパーソナルコンピュータ等の外部機器から送信されるコンテンツ情報等の受信を行っている。なお、コンテンツ情報とは、利用者の網膜に投影される情報であり、例えば文字や画像、動画等である。具体的には、コンテンツ情報は、例えば、パソコン等で使用される文書ファイルや画像ファイル、動画ファイル等である。
【００２３】
本実施形態の制御装置１０は、２系統からの画像信号が入力可能な構成とされている。１つは撮像ユニット５０から入力される画像信号であり、もう１つは外部機器から入力される画像信号である。
【００２４】
上記の点から本実施形態の操作部１３は、撮像ユニット５０からの画像信号を網膜に投影させるか、外部機器からの画像信号を網膜に投影させるかを利用者に選択させる選択スイッチ（不図示）を有している。
【００２５】
図２は、網膜走査型ヘッドマウントディスプレイを説明する第二の図である。図２では、ヘッドマウント部ＨＭの構成と、電子回路基板１２に実装された回路ブロックとを示している。
【００２６】
初めに、ヘッドマウント部ＨＭについて説明する。
【００２７】
本実施形態のヘッドマウント部ＨＭは、光走査部３０、ＭＥＭＳ（Micro Electro Mechanical System）インターフェイス部４２、撮像ユニット５０、光学系部６０を備えている。
【００２８】
光走査部３０は、例えばＭＥＭＳ（Micro Electro Mechanical System）ミラーである。光走査部３０は、例えば、眼鏡型フレーム４０のツル４１に配置されている。光走査部３０は、後述するレーザモジュール１２５から出射された画像光を、駆動制御信号に基づいて、水平方向及び垂直方向に走査する。駆動制御信号は、後述するＭＥＭＳドライバ１２３から出力される。
【００２９】
また、画像光を走査して眼球Ｇの網膜Ｇ１に画像を投影する方法として、画像を投影する領域の左上から右下に向かって光を高速に走査し、画像を表示させる方法（例えばラスタースキャン）が実施できる。
【００３０】
光走査部３０から出射された画像光は、光学系部６０により収束され、網膜Ｇ１へ投影される。なお、光学系部６０は、眼鏡型フレーム４０のツル４１に配置されている。
【００３１】
ＭＥＭＳインターフェイス部４２は、光走査部３０（ＭＥＭＳミラー）の動作（振れ角）を検知し、光走査部３０の傾きに応じた動作情報を後述の主制御部１２１へ出力する。なお、本実施形態のＭＥＭＳインターフェイス部４２は、温度センサ（不図示）を有し、光走査部３０の温度を検知し、温度情報を主制御部１２１へ出力してよい。
【００３２】
本実施形態の撮像ユニット５０は、撮像装置５１と、カメラインターフェイス部５２とを含む。
【００３３】
撮像装置５１は、ＣＭＯＳなどのカメラである。撮像装置５１は、撮像装置５１の仕様等によって決められたフォーマットで撮像した画像データをカメラインターフェイス部５２へ出力する。
【００３４】
カメラインターフェイス部５２は、撮像装置５１から出力された画像データを後述する主制御部１２１へ出力する。本実施形態のカメラインターフェイス部５２では、撮像装置５１から受け取った画像データを、伝送ケーブル２０による伝送に適したフォーマットに変換した後に、主制御部１２１へ出力する。
【００３５】
また、本実施形態のカメラインターフェイス部５２は、カメラインターフェイス部５２に供給される電源電圧から、複数の電圧を生成し、撮像装置５１へ提供する。さらに、本実施形態のカメラインターフェイス部５２は、制御装置１０の操作部１３において、撮像された画像のズームインやズームアウトを指示する操作が行われると、撮像装置５１から出力された画像データに対して操作に対応した画像処理を行う。
【００３６】
本実施形態のカメラインターフェイス部５２の詳細は後述する。
【００３７】
次に、制御装置１０の電子回路基板１２の回路ブロックについて説明する。
【００３８】
電子回路基板１２には、主制御部１２１、レーザ制御部１２２、ＭＥＭＳドライバ１２３、レーザドライバ１２４、レーザモジュール（光源）１２５が実装されている。
【００３９】
主制御部１２１は、ＣＰＵ（CentralProcessing Unit）等のプロセッサ並びにＲＡＭ（Random Access Memory）及びＲＯＭ（Read Only Memory）等により実現される。主制御部１２１には、撮像ユニット５０から出力された画像データと、外部入力端子１５を介して外部機器から出力されたコンテンツ情報（画像データ）の２系統の画像データが入力される。主制御部１２１は、入力された画像データの処理と、光走査部３０（ＭＥＭＳミラー）の駆動制御を行う。
【００４０】
また、主制御部１２１は、ＭＥＭＳインターフェイス部４２から取得した光走査部３０の動作情報や温度情報等に基づいて、光走査部３０（ＭＥＭＳミラー）の駆動と、レーザモジュール１２５からの画像光の出射を制御する。
【００４１】
また、主制御部１２１は、光走査部３０の駆動を制御する駆動制御信号をＭＥＭＳドライバ１２３へ出力する。ＭＥＭＳドライバ１２３は、受信した駆動制御信号を光走査部３０へ出力する。
【００４２】
また、主制御部１２１は、入力された画像データをレーザドライバ１２４へ出力する。レーザドライバ１２４は、画像データに基づいて光源の点灯及び消灯を制御する出射制御信号を生成し、生成した出射制御信号をレーザモジュール１２５へ出力する。
【００４３】
レーザ制御部１２２は、ＣＰＵ等のプロセッサ並びにＲＡＭ及びＲＯＭ等により実現される。レーザ制御部１２２は、操作部１３から電源ＯＮ信号や、ズームイン信号又はズームアウト信号などが入力されると、信号に応じた制御信号をレーザモジュール１２５へ出力する。なお、本実施形態のレーザ制御部１２２は、操作部１３の選択スイッチにおいて、２系統の画像データのうちどちらの画像データの選択を受け付けると、選択に応じて、制御信号をレーザモジュール１２５へ出力する。
【００４４】
レーザモジュール１２５は、主制御部１２１の指示の下、例えば単一又は複数の波長の光線Ｌを光走査部３０へ出力（出射）する。この光線Ｌは、ユーザの眼球Ｇの網膜Ｇ１に画像を投影するための画像用光線である。なお、レーザモジュール１２５から出射された光源Ｌは、伝送ケーブル２０を介して光走査部３０へ伝送される。
【００４５】
レーザモジュール１２５は、例えば赤色レーザ光（波長：７１０ｎｍ〜６６０ｎｍ程度）、緑色レーザ光（波長：５１５ｎｍ〜５４０ｎｍ程度）、及び青色レーザ光（波長：４４０ｎｍ〜４８０ｎｍ程度）を出射する。赤色、緑色、及び青色レーザ光を出射する。本実施形態のレーザモジュール１２５は、例えばＲＧＢ（赤・緑・青）それぞれのレーザダイオードチップと３色合成デバイスとマイクロコリメートレンズと、が集積された光源等により実現される。
【００４６】
また、レーザモジュール１２５は、光量センサ１２５ａ、温度センサ１２５ｂを備えている。光量センサ１２５ａは、レーザモジュール１２５の各レーザダイオードの光量を検知し、検知した光量情報をレーザ制御部１２２へ出力する。温度センサ１２５ｂは、レーザモジュール１２５の各レーザダイオードの温度を検知し、検知した温度情報をレーザ制御部１２２へ出力する。
【００４７】
レーザ制御部１２２は、光量センサ１２５ａから取得した光量情報に基づいて、レーザモジュール１２５の各レーザダイオードの光量を制御する信号を生成し、レーザモジュール１２５へ出力する。
【００４８】
次に、図３を参照して本実施形態のカメラインターフェイス部５２について説明する。図３は、カメラインターフェイス部の機能を説明する図である。
【００４９】
はじめに、撮像ユニット５０内の撮像装置５１とカメラインターフェイス部５２との間の授受について説明する。
【００５０】
本実施形態の撮像装置５１は、カメラインターフェイス部５２から出力される制御信号Ｓ１により、動作が制御される。
【００５１】
具体的には、撮像装置５１は、制御信号Ｓ１により、撮像の開始が指示されても良い。撮像の開始は、例えば制御装置１０において、操作部１３の選択スイッチが操作されて、撮像装置５１が撮像した画像データが選択された場合に、指示されても良い。この場合、制御装置１０は、撮像装置５１に対して撮像開始が指示されたことを制御信号Ｓ１１によりカメラインターフェイス部５２へ通知する。カメラインターフェイス部５２は、制御信号Ｓ１１を受信すると、撮像装置５１に対して撮像開始を指示する制御信号Ｓ１を通知しても良い。
【００５２】
撮像装置５１は、撮像開始の指示を受けて、撮像を開始し、撮像した画像データをカメラインターフェイス部５２へ送信する。このとき、撮像装置５１から出力される画像データＳ２は、モバイル端末に内蔵されたカメラ等とのインターフェイス規格の１つであるＭＩＰＩ（Mobile Industry Processor Interface）規格に従ってカメラインターフェイス部５２へ送信される。また、撮像装置５１から出力される画像データＳ２は、パラレル通信によってカメラインターフェイス部５２へ送信される。
【００５３】
また、本実施形態の撮像装置５１は、カメラインターフェイス部５２より、電源となる電圧Ｖ１〜Ｖ４が供給される。
【００５４】
次に、カメラインターフェイス部５２と制御装置１０の間の授受について説明する。
【００５５】
本実施形態のカメラインターフェイス部５２は、撮像装置５１から受信した画像データＳ２を、映像・音声をデジタル信号で伝送する通信インターフェイスの標準規格であるＨＤＭＩ（登録商標）（High-Definition Multimedia Interface）規格に従った画像データＳ２１として、制御装置１０へ送信する。
【００５６】
つまり、本実施形態のフォーマット変換部５２１は、ＭＩＰＩ規格に従った画像データか、パラレル通信で送信された画像データを、ＨＤＭＩ規格に従った画像データに変換する。ここでは、ＭＩＰＩ規格に従ったフォーマット又はパラレル通信方式に従ったフォーマットを第一のフォーマットと呼び、ＨＤＭＩ規格に従ったフォーマットを第二のフォーマットと呼ぶ。
【００５７】
また、カメラインターフェイス部５２は、制御装置１０から、撮像装置５１に対する指示を通知する制御信号Ｓ１１を受信する。撮像装置５１に対する指示とは、例えば撮像開始の指示や、ズームイン又はズームアウト等の指示を含む。
【００５８】
また、カメラインターフェイス部５２は、制御装置１０から、カメラインターフェイス部５２の電源となる電圧Ｖ３１が供給される。
【００５９】
次に、本実施形態のカメラインターフェイス部５２の機能について説明する。本実施形態のカメラインターフェイス部５２は、フォーマット変換部５２１、画像処理部５２２、電圧生成部５２３を有する。
【００６０】
上述したカメラインターフェイス部５２のフォーマット変換部５２１、画像処理部５２２の機能をＦＰＧＡにより実現し、電圧生成部５２３は、公知の昇圧／降圧回路等により実現されても良い。
【００６１】
フォーマット変換部５２１は、撮像装置５１から送信された画像データＳ２を、制御装置１０へ送信するための規格に従った画像データＳ２１へ変換する。
【００６２】
画像処理部５２２は、制御装置１０からの指示に応じて、フォーマット変換部５２１による変換前の画像データＳ２に対して画像処理を行う。
【００６３】
電圧生成部５２３は、撮像装置５１へ提供する電圧を生成する。
【００６４】
以下に、各部についてさらに説明する。はじめに、フォーマット変換部５２１について説明する。図４は、フォーマット変換部を説明する図である。
【００６５】
本実施形態のフォーマット変換部５２１は、ＨＤＭＩトランスミッタ５３１、ＭＩＰＩ／パラレル変換部５３２、ビット拡張部５３３を有する。
【００６６】
本実施形態のＨＤＭＩトランスミッタ５３１は、８ｂｉｔの入力信号として入力された画像データをＨＤＭＩ規格に従った画像データＳ２１に変換する。具体的には、本実施形態のＨＤＭＩトランスミッタ５３１は、ＲＧＢ画像データにおけるＲ成分の画像データ、Ｇ成分の画像データ、Ｂ成分の画像データのそれぞれを８ｂｉｔの入力信号として受信し、ＨＤＭＩ規格に従った画像データに変換する。
【００６７】
ＭＩＰＩ／パラレル変換部５３２は、画像データＳ２が、ＭＩＰＩ規格に従って送信された場合、この画像データのＲ成分、Ｇ成分、Ｂ成分のそれぞれを８ｂｉｔの入力信号に変換する。
【００６８】
ビット拡張部５３２は、画像データＳ２が、パラレル通信によって送信された場合、この画像データのＲ成分、Ｇ成分、Ｂ成分のそれぞれを８ｂｉｔの信号に拡張する。
【００６９】
より具体的には、パラレル通信により撮像装置５１から画像データが送信される場合、画像データは、Ｒ成分が５ｂｉｔ、Ｇ成分が６ｂｉｔ、Ｂ成分が５ｂｉｔの信号として送信される。よって、ビット拡張部５３２は、これらの信号を、各成分８ｂｉｔの信号に拡張する。
【００７０】
本実施形態では、このように、撮像装置５１から受信した画像データＳ２を、ＨＤＭＩ規格の画像データＳ２１に変更することで、撮像装置５１が撮像した画像（映像）データや音声データをデジタル信号として制御装置１０へ送信することができる。よって、本実施形態によれば、撮像ユニット５０から制御装置１０までの伝送ケーブル２０による画像データの伝送において、ノイズを低減し、画質の劣化を抑制することができる。
【００７１】
また、ＨＤＭＩ規格では、デジタル伝送により画像データＳ２１が伝送されるため、伝送経路の長さにも制約を設ける必要がなくなる。
【００７２】
したがって、本実施形態では、撮像ユニット５０が設けられたヘッドマウント部ＨＭと制御装置１０とを繋ぐ伝送ケーブル２０の長さに制約を設けなくて良い。つまり、本実施形態によれば、利用者がヘッドマウント部ＨＭを頭部の装着し、制御装置１０を衣服等に身に着ける際に、利用者の動作が制限されないように、伝送ケーブル２０の長さを十分に長くすることができる。このため、本実施形態では、網膜走査型ヘッドマウントディスプレイ１の装着感を向上させることができる。
【００７３】
また、本実施形態では、このように画像データを変換することで、画像データの伝送に必要となる信号線（ピン）の本数を削減できる。よって、例えばパラレル通信により画像データＳ２を制御装置１０へ伝送する場合よりも、ＨＤＭＩ規格に従って画像データを伝送した方が、伝送ケーブル２０の直径を細くすることができる。
【００７４】
伝送ケーブル２０は、直径が細くなるほど硬さが和らぎ、利用者の動作を制限しなくなる。したがって、本実施形態によれば、網膜走査型ヘッドマウントディスプレイ１の装着感を向上させることができる。
【００７５】
次に、画像処理部５２２について説明する。
【００７６】
本実施形態の画像処理部５２２は、制御装置１０からズームイン又はズームアウトの指示を受けると、撮像装置５１から受信した画像データＳ２に対して、対応する画像処理を行う。画像処理部５２２の処理の詳細は後述する。
【００７７】
次に、電圧生成部５２３について説明する。本実施形態の電圧生成部５２３は、制御装置１０から供給される電圧Ｖ３１から電圧Ｖ１〜Ｖ４を生成し、撮像装置５１へ供給する。
【００７８】
撮像装置５１の電源となる電圧Ｖ１〜Ｖ４は、撮像装置５１の仕様に応じて予め決められた値の電圧であり、複数の値を含む。
【００７９】
撮像装置５１では、例えば、撮像に係る機構を駆動させるためのモータ等に電源として供給される電圧と、撮像装置５１内の各種制御を行うＩＣ（Integrated circuit）チップ等に電源として供給される電圧とは、その大きさが異なる。したがって、本実施形態のカメラインターフェイス部５２では、撮像装置５１において必要とされる値の電圧を生成し、撮像装置５１へ提供している。
【００８０】
尚、電圧生成部５２３は、撮像装置５１に供給する電圧Ｖ１〜Ｖ４以外にも、自身が必要とする値の電圧も生成しても良い。また、撮像装置５１に供給する電圧の値は、電圧Ｖ１〜Ｖ４以外の値が含まれても良い。
【００８１】
本実施形態では、撮像装置５１に提供する電圧を、撮像装置５１の近傍に配置されているカメラインターフェイス部５２において生成して提供する。したがって、本実施形態では、カメラインターフェイス部５２よりも撮像装置５１と物理的に離れている制御装置１０から電圧が供給される場合と比較して、電源ラインによる電圧降下（損失）を抑制できる。言い換えれば、本実施形態では、撮像装置５１の近傍に配置されたカメラインターフェイス部５２において、撮像装置５１の電源となる電圧を生成するため、両者を結ぶ電源ラインの抵抗による電圧の損失を低減させることができる。
【００８２】
次に、図５を参照して、本実施形態のカメラインターフェイス部５２が撮像装置５１から画像データを受信したときの処理について説明する。図５は、カメラインターフェイス部の処理を説明するフローチャートである。
【００８３】
本実施形態のカメラインターフェイス部５２は、撮像装置５１から画像データを受信する（ステップＳ５０１）。続いて、カメラインターフェイス部５２は、画像処理部５２２により、ズームイン又はズームアウトの指示を受け付けたか否かを判定する（ステップＳ５０２）。
【００８４】
ステップＳ５０２において、該当する指示を受け付けた場合、画像処理部５２２は、受信した画像データに対して、指示に対応した画像処理を行う（ステップＳ５０３）。
【００８５】
ステップＳ５０２において、該当する指示を受け付けない場合、カメラインターフェイス部５２は、フォーマット変換部５２１により、受信した画像データをＨＤＭＩ規格の画像データＳ２１に変更し、制御装置１０に出力し（ステップＳ５０４）、処理を終了する。
【００８６】
以下に、図６及び図７を参照し、図５のステップＳ５０３における画像処理部５２２による画像処理を説明する。図６は、画像処理部による画像処理を説明する第一の図である。
【００８７】
図６では、制御装置１０の操作部１３において、ズームインを指示する操作が行われた場合の画像処理を示している。図６（Ａ）は、画像処理前の画像を示し、図６（Ｂ）は、画像処理後の画像を示している。
【００８８】
図６（Ａ）は、ズームインの指示もズームアウトの指示も受けていない場合の画像６０１を示す。ここでは、画像６０１は、ｘ画素×ｙ画素の画像とし、中心点を点Ｐとする。
【００８９】
この画像６０１に対して、例えば倍率が２倍のズームインと対応する画像処理を行うと、画像６０１は、図６（Ｂ）に示す画像６０１Ａとなる。
【００９０】
画像６０１Ａは、点Ｐを中心にとしたｘ画素×ｙ画素の画像である。つまり、画像６０１Ａは、画像処理前の画像６０１と同じ大きさの画像である。
【００９１】
画像６０１Ａは、領域６０２と、領域６０２の周囲をマスクする黒色領域６０３とを含む。領域６０２は、中心を点Ｐとするｘ／２画素×ｙ／２画素の領域である。
【００９２】
本実施形態の画像処理部５２２は、例えば制御信号Ｓ１１により、倍率２倍のズームインの指示を受けると、撮像装置５１から取得した画像６０１の画像データに対し、中心を点Ｐとするｘ／２画素×ｙ／２画素の領域６０２の外側の領域６０３を黒色一色でマスクして黒色領域６０３とした画像６０１Ａを生成する。
【００９３】
そして、画像処理部５２２は、画像６０１Ａをフォーマット変換部５２１へ渡す。フォーマット変換部５２１は、この画像６０１Ａの画像データをＨＤＭＩ規格にしたがって画像データに変換し、制御装置１０へ送信する。
【００９４】
制御装置１０は、画像６０１Ａの画像データを走査することで、画像６０１を２倍にズームインさせた画像を利用者の網膜に投影する。尚、制御装置１０は、光走査部３０に対し、倍率２倍のズームインの指示に対応した制御を行う。
【００９５】
尚、図６では、ズームインの指示を受けた際の画像処理部５２２の処理を説明した。本実施形態の画像処理部５２２は、ズームアウトの指示を受けた場合は、ズームインの指示と対応した処理と逆の処理を行えば良い。
【００９６】
例えば、倍率２倍のズームアウトの指示を受け付けた場合には、画像６０１Ａから黒色領域６０３を削除すれば良い。
【００９７】
尚、本実施形態では、一度ズームインの指示に応じて画像処理した画像に対しては、ズームアウトの指示と対応する画像処理を行うことを可能とする。また、本実施形態では、ズームインの指示に対応する画像処理が行われていない画像に対しては、ズームアウトと対応する画像処理は行わないものとしても良い。
【００９８】
次に、図７を参照して、本実施形態において、ズームインと対応する画像処理において、黒色領域を設ける理由について説明する。
【００９９】
図７は、画像処理部による画像処理を説明する第二の図である。図７（Ａ）は、一般的な投影装置によるズームインと対応する画像処理を説明する図である。図７（Ｂ）は、本実施形態によるズームインと対応する画像処理を説明する第一の図であり、図７（Ｃ）は、本実施形態によるズームインと対応する画像処理を説明する第二の図である。
【０１００】
図７（Ａ）に示すように、投影領域が平面のスクリーン等である投影装置の場合、ｘ画素×ｙ画素であり点Ｐ１を中心とする画像７０１に対し、２倍のズームインが指示された場合、画像７０１のうち、点Ｐ１を中心とするｘ／２画素×ｙ／２画素の領域の画像を投影領域７１０に対して投影すれば良い。尚、投影領域とは、光走査部により走査される領域である。
【０１０１】
このように投影すれば、図７（Ａ）の例では、投影領域と、投影領域に投影される画像の大きさ及び形状が一致しているため、領域７０２の画像が投影領域７１０全体に投影される。
【０１０２】
これに対し、本実施形態のように、画像を人の網膜に照射する場合、投影面となる網膜は、眼球が球状であるために平面ではなく、曲面となる。このため、本実施形態では、網膜の曲面に合わせて、投影面を台形状に走査している。よって、本実施形態では、投影領域７１０Ａの形状は、図７（Ｂ）、（Ｃ）に示すように、台形となる。
【０１０３】
よって、本実施形態では、図７（Ｂ）に示すように、画像７０１のうち、点Ｐ１を中心とするｘ／２画素×ｙ／２画素の領域７０２の画像のみを投影領域７１０Ａに投影しようとしても、実際には、画像７０１における領域７０３の画像が投影されることになる。
【０１０４】
この場合、実際に注目したい画像以外の画像も利用者の網膜に投影されることになり、好ましくない。
【０１０５】
そこで、本実施形態の画像処理部５２２は、図７（Ｃ）に示すように、画像７０１を、画像７０１において、投影領域７１０Ａに投影させたい領域７０２以外の領域を、黒一色でマスクした黒色領域７０４とした画像７０１Ａとする。
【０１０６】
本実施形態では、光走査部３０は、黒色の画像に対しては、レーザダイオードを発光させない制御を行う。つまり、光走査部３０は、画像７０１Ａのうち、黒色領域７０４内については、レーザダイオードを消灯させる。
【０１０７】
よって、本実施形態の網膜走査型ヘッドマウントディスプレイにより、画像７０１Ａを投影した場合、投影領域７１０Ａでは、領域７０２の画像以外は投影されなくなる。
【０１０８】
したがって、本実施形態によれば、画像の投影面が網膜等のように曲面である場合において、画像を拡大して投影させようとした場合に、利用者が注目したい画像以外の画像まで拡大して投影されてしまう、という問題を解決できる。つまり、本実施形態によれば、利用者が注目したい領域の画像のみを拡大して投影させることができる。
【０１０９】
また、本実施形態では、ズームインの指示を受けた場合、カメラインターフェイス部５２において、画像データＳ２のフォーマットを変換する前に、上述した画像処理を行う。
【０１１０】
したがって、本実施形態によれば、制御装置１０では、ズームインの指示に対する画像処理を行う必要がなく、公知の処理によって利用者が注目したい領域の画像のみを拡大して投影させることができ、制御装置１０の処理負荷を軽減できる。
【０１１１】
尚、上述した説明では、本実施形態は、網膜走査型ヘッドマウントディスプレイに適用されるものとしたが、これに限定されない。本実施形態は、光走査部３０と撮像ユニット５０とが、制御装置１０と伝送ケーブル２０で接続されている投影装置であれば、どのような投影装置に適用されても良い。
【０１１２】
以上、各実施形態に基づき本発明の説明を行ってきたが、上記実施形態にあげた構成、その他の要素との組み合わせなど、ここで示した要件に本発明が限定されるものではない。これらの点に関しては、本発明の主旨をそこなわない範囲で変更することが可能であり、その応用形態に応じて適切に定めることができる。
【符号の説明】
【０１１３】
１  網膜走査型ヘッドマウントディスプレイ
１０  制御装置
１１  筐体
１２  電子回路基板
１３    操作部
１４  ＩＣチップ
１５  外部入力端子
２０  伝送ケーブル
３０  光走査部
４０  眼鏡型フレーム
４２  ＭＥＭＳインターフェイス部
５０  撮像ユニット
５１  撮像装置
５２  カメラインターフェイス部
６０  光学系部
ＨＭ  ヘッドマウント部
１２１  主制御部
１２２  レーザ制御部
１２３  ＭＥＭＳドライバ
１２４  レーザドライバ
１２５  レーザモジュール
５２１  フォーマット変換部
５２２  画像処理部
５２３  電圧生成部
【図１】
2018054944.tif 000003
【図２】
2018054944.tif 000004
【図３】
2018054944.tif 000005
【図４】
2018054944.tif 000006
【図５】
2018054944.tif 000007
【図６】
2018054944.tif 000008
【図７】
2018054944.tif 000009